(57)【要約】【課題】  簡単な構成で複数の制御対象機器の消費電力及び又は供給電力を適宜増減させることにより、全体として、目標消費電力の範囲内に収めることができる電力制御装置を提供すること。【解決手段】  制御対象になっている複数の制御対象機器を階層的にグループ分けし、上記各制御対象機器と各グループに電力制御パラメータを付与し、実際に使用されている使用電力と上記電力制御パラメータに基づいて各制御対象機器の消費電力及び又は供給電力を制御するようにしたもの。【選択図】  図１
2014239632.tif 000002
【特許請求の範囲】
【請求項１】
制御対象になっている複数の制御対象機器を階層的にグループ分けし、上記各制御対象機器と各グループに電力制御パラメータを付与し、実際に使用されている使用電力と上記電力制御パラメータに基づいて各制御対象機器の消費電力及び又は供給電力を制御するようにしたことを特徴とする電力制御装置。
【請求項２】
請求項１記載の電力制御装置において、
上記階層的なグループ分けは、複数の下位グループがあり、これら複数の下位グループを束ねる上位グループがあり、以下、階層的に構成されたものであることを特徴とする電力制御装置。
【請求項３】
請求項２記載の電力制御装置において、
上位グループは自身が束ねた複数の下位グループの消費電力及び又は供給電力を管理するものであることを特徴とする電力制御装置。
【請求項４】
請求項２又は請求項３記載の電力制御装置において、
上位グループは下位グループ又は制御対象機器の優先度が自身のグループの優先度より低い場合か等しい場合に、消費電力及び又は供給電力を管理するものであることを特徴とする電力制御装置。
【請求項５】
請求項１〜請求項４の何れかに記載の電力制御装置において、
上記制御対象機器又は上記グループは複数のグループに所属可能であることを特徴とする電力制御装置。
【請求項６】
請求項１〜請求項５の何れかに記載の電力制御装置において、
上記電力制御パラメータは、上記各グループ相互間の優先度を示す「優先度パラメータ」と設定電力を示す「設定電力パラメータ」とから構成されていることを特徴とする電力制御装置。
【請求項７】
請求項１〜請求項６の何れかに記載の電力制御装置において、
上記制御対象機器又は上記グループは「０」個以上の電力制御パラメータを有することを特徴とする電力制御装置。
【請求項８】
請求項６又は請求項７記載の電力制御装置において、
上記設定電力パラメータは、「ピーク消費電力（３０分デマンド）」、「ピーク発電電力」、「ある期間内の積算消費電力」、「ある期間内の積算発電電力」、「その他電力の売買に関する電力値に係る事項」の内の少なくとも一つであることを特徴とする電力制御装置。
【請求項９】
請求項８記載の電力制御装置において、
上記消費電力は、現時点での瞬時消費電力又は任意の所定期間積算の消費電力であることを特徴とする電力制御装置。
【請求項１０】
請求項８又は請求項９記載の電力制御装置において、
上記消費電力は変更可能であることを特徴とする電力制御装置。
【請求項１１】
請求項１〜請求項９の何れかに記載の電力制御装置において、
上記制御対象機器には消費機器と発電機器とがあることを特徴とする電力制御装置。
【発明の詳細な説明】
【技術分野】
【０００１】
本発明は、例えば、照明機器、電気機器等の消費機器、各種発電機器（発電機、蓄電池、等）、等の制御対象機器から構成される設備の消費電力及び又は供給電力(発電機のオン／オフを含んだ発電の度合い、蓄電池から放出される電力の量、等)を制御する電力制御装置に係り、特に、複数の制御対象機器を階層的にグループ化するとともに、設定電力と優先度の情報を付与し、その情報と実際の使用電力や発電電力の情報に基づいて、各制御対象機器の消費電力及び又は供給電力(発電機のオン／オフを含んだ発電の度合い、蓄電池から放出される電力の量、等)を制御することができるように工夫したものに関する。
【背景技術】
【０００２】
例えば、照明機器、電気機器等の消費機器、各種発電機器、等の制御対象機器から構成されている設備の消費電力を制御するものとして、例えば、次の（１）、（２）、（３）に示すようなものがある。
（１）まず、「建物全体の消費電力を一定以下に抑える制御」がある。その一例が、いわゆる「デマンド制御」と称されるものである。
（２）又、「一定の期間を設定して電力使用者からの消費電力の変更を許容する制御」がある。
（３）さらに、「ある部分の消費電力を上げると、他の部分の消費電力を下げて全体として消費電力を設定された消費電力の範囲内に保つ制御」がある。
【０００３】
以下、順次詳しく説明する。
まず、「建物全体の消費電力を一定以下に抑える制御」であるが、上記したように、その一例として、「デマンド制御」がある。一般に、「デマンド制御」の場合には、電力契約毎（多くは建物毎）に電力計を設け、その電力計の消費電力、例えば、「３０分消費電力」が、予め設定された設定値を超えないような制御を行う。
その際、「優先度」という概念はなく、一般的には、空調のコンプレッサの運転制御を行うことにより、消費電力を制御するようにしている。
【０００４】
次に、「一定の期間を設定し、電力使用者からの消費電力の変更を許容する制御」の場合であるが、この場合には、電力管理者側と電力使用者側の要求を同時に満たすために、ある一定の制御の下で電力使用を変更できる「補正機能」を採用するようにしている。例えば、照明制御の場合には、電力使用者はシステムにログインし、例えば、「特定の照明に対して１時間だけ全灯にせよ」といった指示を出すことができる。
【０００５】
さらに、「ある部分の消費電力を上げると、他の部分の消費電力を下げて全体として消費電力を設定された消費電力の範囲内に保つ制御」の場合であるが、既に説明した「補正機能」を許容しつつ使用電力量を一定以下に管理する方法として、例えば、複数の照明機器をグループ化して、「あるグループの消費電力が増加すれば別のグループの消費電力を減少させる」、という制御を行う。又、この場合には、「優先度」という概念を持っていて、「優先度」の低いところの削減をより多くするという方法を採用している。
尚、上記（１）、（２）、（３）は専ら消費電力を制御する場合のものであるが、各種発電機器が組み込まれている場合には、消費電力及び又は発電の度合いをも制御することになる。
【０００６】
尚、この種の電力制御装置の構成を開示するものとして、例えば、特許文献１、特許文献２、特許文献３等がある。
【先行技術文献】
【特許文献】
【０００７】
【特許文献１】特開２０１２−２０４２６９号公報
【特許文献２】特開２００１−１８５３７５号公報
【特許文献３】特開２００１−１５２７３号公報
【発明の概要】
【発明が解決しようとする課題】
【０００８】
上記従来の構成によると次のような問題があった。
まず、「建物全体の消費電力値を一定以下に抑える制御」の場合には、電力使用者の意向が消費電力の変更に反映されることはなく、その結果、電力使用者側に不満が発生し、それに起因して運用に支障を来すことがあった。
又、この場合は、「瞬時値」の制御であり、一定期間内の消費電力若しくは電力料金を制御できないという問題があった。
又、制御が建物単位であるため、管理が大雑把になってしまうという問題もあった。
次に、「一定の期間を設定して使用者からの消費電力の変更を許容する制御」の場合であるが、この場合には、数多くの電力使用者によって頻繁に補正機能が実行されると、設備の目標消費電力を超えてしまうおそれがあった。
さらに、「ある部分の消費電力を上げると、他の部分の消費電力を下げて全体として消費電力を設定された消費電力の範囲内に保つ制御」の場合には、どのような指標の下に消費電力を変更するのかが曖昧であった。
又、例えば、照明機器には多数の種類があり、調光指令による消費電力と照度の変化の仕様も様々異なっている。よって、他の部分の消費電力を下げるといっても、その結果、例えば、「照度が落ち過ぎる」、「消費電力が制御仕切れない」という事態が生じてしまうことがあった。
【０００９】
本発明はこのような点に基づいてなされたものでその目的とするところは、上記したような問題を解決して、簡単な構成で複数の制御対象機器の消費電力及び又は供給電力を適宜増減させることにより、全体として、目標消費電力の範囲内に収めることができる電力制御装置を提供することにある。
【課題を解決するための手段】
【００１０】
上記目的を達成するべく本願発明の請求項１による電力制御装置は、制御対象になっている複数の制御対象機器を階層的にグループ分けし、上記各制御対象機器と各グループに電力制御パラメータを付与し、実際に使用されている使用電力と上記電力制御パラメータに基づいて各制御対象機器の消費電力及び又は供給電力を制御するようにしたことを特徴とするものである。
又、請求項２による電力制御装置は、請求項１記載の電力制御装置において、  上記階層的なグループ分けは、複数の下位グループがあり、これら複数の下位グループを束ねる上位グループがあり、以下、階層的に構成されたものであることを特徴とするものである。
又、請求項３による電力制御装置は、請求項２記載の電力制御装置において、  上位グループは自身が束ねた複数の下位グループの消費電力及び又は供給電力を管理するものであることを特徴とするものである。
又、請求項４による電力制御装置は、請求項２又は請求項３記載の電力制御装置において、上位グループは下位グループ又は制御対象機器の優先度が自身のグループの優先度より低い場合か等しい場合に、消費電力及び又は供給電力を管理するものであることを特徴とするものである。
又、請求項５による電力制御装置は、請求項１〜請求項４の何れかに記載の電力制御装置において、上記制御対象機器又は上記グループは複数のグループに所属可能であることを特徴とするものである。
又、請求項６による電力制御装置は、請求項１〜請求項５の何れかに記載の電力制御装置において、上記電力制御パラメータは、上記各グループ相互間の優先度を示す「優先度パラメータ」と設定電力を示す「設定電力パラメータ」とから構成されていることを特徴とするものである。
又、請求項７による電力制御装置は、請求項１〜請求項６の何れかに記載の電力制御装置において、上記制御対象機器又は上記グループは「０」個以上の電力制御パラメータを有することを特徴とするものである。
又、請求項８による電力制御装置は、請求項６又は請求項７記載の電力制御装置において、上記設定電力パラメータは、「ピーク消費電力（３０分デマンド）」、「ピーク発電電力」、「ある期間内の積算消費電力」、「ある期間内の積算発電電力」、「その他電力の売買に関する電力値に係る事項」の内の少なくとも一つであることを特徴とするものである。
又、請求項９による電力制御装置は、請求項８記載の電力制御装置において、  上記消費電力は、現時点での瞬時消費電力又は任意の所定期間積算の消費電力であることを特徴とするものである。
又、請求項１０による電力制御装置は、請求項８又は請求項９記載の電力制御装置において、上記消費電力は変更可能であることを特徴とするものである。
又、請求項１１による電力制御装置は、請求項１〜請求項９の何れかに記載の電力制御装置において、上記制御対象機器には消費機器と発電機器とがあることを特徴とするものである。
【発明の効果】
【００１１】
以上述べたように本願発明の請求項１による電力制御装置によると、制御対象になっている複数の制御対象機器を階層的にグループ分けし、上記各制御対象機器と各グループに電力制御パラメータを付与し、実際に使用されている使用電力と上記電力制御パラメータに基づいて各制御対象機器の消費電力及び又は供給電力を制御するように構成したので、簡単な構成で、目標消費電力の範囲内で、各制御対象機器と各グループの消費電力及び又は供給電力を増減させて制御することができ、その際、電力管理者、電力使用者に対して一方的な不満をいだかせるようなこともない。
又、請求項２による電力制御装置によると、請求項１記載の電力制御装置において、上記階層的なグループ分けは、複数の下位グループがあり、これら複数の下位グループを束ねる上位グループがあり、以下、階層的に構成されているので、上記効果をより確実なものとすることができる。
又、請求項３による電力制御装置によると、請求項２記載の電力制御装置において、上位グループは自身が束ねた複数の下位グループの消費電力及び又は供給電力を管理するように構成されているので、上記効果をより確実なものとすることができる。
又、請求項４による電力制御装置によると、請求項２又は請求項３記載の電力制御装置において、上位グループは下位グループ又は制御対象機器の優先度が自身のグループの優先度より低い場合か等しい場合に、消費電力及び又は供給電力を管理するように構成されているので、上記効果をより確実なものとすることができる。
又、請求項５による電力制御装置によると、請求項１〜請求項４の何れかに記載の電力制御装置において、上記制御対象機器又は上記グループは複数のグループに所属可能に構成されているので、上記効果をより確実なものとすることができる。
又、請求項６による電力制御装置によると、請求項１〜請求項５の何れかに記載の電力制御装置において、上記電力制御パラメータは、上記各グループ相互間の優先度を示す「優先度パラメータ」と設定電力を示す「設定電力パラメータ」とから構成されているので、上記効果をより確実なものとすることができる。
又、請求項７による電力制御装置によると、請求項１〜請求項６の何れかに記載の電力制御装置において、上記制御対象機器又は上記グループは「０」個以上の電力制御パラメータを有する構成になっているので、例えば、複数の電力制御パラメータを使用することにより様々な制御が可能となり、上記効果をより確実なものとすることができる。
又、請求項８による電力制御装置によると、請求項６又は請求項７記載の電力制御装置において、上記設定電力パラメータは、「ピーク消費電力（３０分デマンド）」、「ピーク発電電力」、「ある期間内の積算消費電力」、「ある期間内の積算発電電力」、「その他電力の売買に関する電力値に係る事項」の内の少なくとも一つである構成になっているので、状況に応じて所望の設定電力パラメータを設定することができ、上記効果をより確実なものとすることができる。
又、請求項９による電力制御装置によると、請求項８記載の電力制御装置において、  上記消費電力は、現時点での瞬時消費電力又は任意の所定期間積算の消費電力である構成になっているので、状況に応じて瞬時消費電力又は任意の所定期間積算の消費電力を選択することができ、上記効果をより確実なものとすることができる。
又、請求項１０による電力制御装置によると、請求項８又は請求項９記載の電力制御装置において、上記消費電力は変更可能な構成になっているので、状況に応じて所望の設定電力パラメータを設定することができ、上記効果をより確実なものとすることができる。
又、請求項１１による電力制御装置によると、請求項１〜請求項９の何れかに記載の電力制御装置において、上記制御対象機器には消費機器と発電機器とがある構成になっているので、消費電力だけでなく供給電力についても制御することになり、上記効果をより確実なものとすることができる。
【図面の簡単な説明】
【００１２】
【図１】本発明の一実施の形態を示す図で、建屋内の複数の照明機器と電気機器を電力制御装置により制御する構成を概念的に示す図である。
【図２】本発明の一実施の形態を示す図で、建物内の複数の照明機器と電気機器の所属等を示す表である。
【図３】本発明の一実施の形態を示す図で、電力制御装置の構成を示す機能ブロック図である。
【図４】本発明の一実施の形態を示す図で、各照明機器、電気機器側の構成を示す機能ブロック図である。
【図５】本発明の一実施の形態を示す図で、全体の制御内容を説明するためのフローチャートである。
【図６】本発明の一実施の形態を示す図で、図５に示した全体のフローチャートにおける使用電力量（Ｅｕ）の取得を説明するためのフローチャートである。
【図７】本発明の一実施の形態を示す図で、図５に示した全体のフローチャートにおける使用電力量（Ｅｕ）の取得を説明するためのフローチャートである。
【図８】本発明の一実施の形態を示す図で、図５に示した全体のフローチャートにおける消費電力値（Ｅｃ）の算出を説明するためのフローチャートである。
【図９】本発明の一実施の形態を示す図で、図５に示した全体のフローチャートにおける親グループの制御電力量の分配を説明するためのフローチャートである。
【図１０】本発明の一実施の形態を示す図で、図５に示した全体のフローチャートにおける電力量の制御を説明するためのフローチャートである。
【発明を実施するための形態】
【００１３】
以下、図１乃至図１０を参照して本発明の一実施の形態を説明する。図１は本実施の形態による電力制御装置により、建屋内に設置されている制御対象機器としての複数の照明機器、電気機器等の消費機器の消費電力を制御する構成を概念的に示す図である。
尚、この実施の形態においては、制御対象機器として複数の照明機器、電気機器等の消費機器をのみを例に挙げて説明しているが、それに各種発電機器を制御対象機器として加える場合もある。上記発電機器としては、例えば、太陽光パネル、風力発電機、等が想定され、又、それに付随する蓄電池等の蓄電機器等も含まれる。又、消費機器としても、照明機器、電気機器以外に、空調機器、等様々な機器がある。
又、各種発電機器を制御対象機器として加える場合には、消費電力を制御するだけでなく、供給電力(発電機のオン／オフを含んだ発電の度合い、蓄電池から放出される電力の量、等)をも制御することになる。
まず、建屋１があり、この建屋１は、一階３と、二階５と、一階３と二階５に連続して設けられた昇降機室７とから構成されている。
【００１４】
上記一階３には、第１照明機器９、第２照明機器１１、第３照明機器１３が設置されている。又、上記二階５には、第４照明機器１５、第５照明機器１７、第６照明機器１９、第７照明機器２１が設置されている。又、二階５には、第１電気機器２３、第２電気機器２５、第３電気機器２７、第４電気機器２９が設置されている。又、昇降機室７には第８照明機器３１が設置されている。
尚、実際には、一階３、二階５には、他にも空調機器等の各種制御対象機器が設置されており、又、昇降機室７内にも、昇降機、空調機器等の各種制御対象機器が設置されているが、説明の都合上図示及び説明を省略している。
【００１５】
又、上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の各制御対象機器は、電力制御装置３３によって、その消費電力及び又は供給電力(発電機のオン／オフを含んだ発電の度合い、蓄電池から放出される電力の量、等、この実施の形態の場合には消費機器のみであるので専ら消費電力）を制御されるように構成されている。
【００１６】
又、上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の各制御対象機器は、予め階層的にグループ化されている。以下、この階層的なグループ化の内容を説明する。まず、第１照明機器９が単独で「グループ１」を構成しており、同様に、第２照明機器１１が単独で「グループ２」を構成している。そして、「グループ１」と「クーループ２」とによって「グループ＋１」を構成している。又、第３照明機器１３が単独で「グループ３」を構成していて、その「グループ３」がそのまま「グループ＋２」を構成している。又、「グループ＋１」と「グループ＋２」とによって「グループ＋＋１」を構成している。
尚、グループが上位化するにしたがって「＋」の数が増加するようになっている。
【００１７】
また、第４照明機器１５と第５照明機器１７とによって「グループ４」を構成している。又、第１電気機器２３が単独で「グループ５」を構成していて、第２電気機器２５が単独で「グループ６」を構成している。そして、上記「グループ４」と「グループ５」と「グループ６」とによって、「グループ＋３」を構成している。
【００１８】
また、第４照明機器１９と第５照明機器２１とによって「グループ７」を構成している。又、第３電気機器２７と第４電気機器２９とによって「グループ８」を構成している。そして、上記「グループ７」と「グループ８」とによって、「グループ＋４」を構成している。そして、「グループ＋３」と「グループ＋４」とによって「グループ＋＋２」を構成している。
【００１９】
そして、一階３の「グループ＋＋１」と二階５の「グループ＋＋２」とによって「グループ＋＋＋１」を構成している。
【００２０】
また、昇降機室７においては、第８照明機器３１が単独で「グループ９」を構成しており、それがそのまま「グループ＋＋＋２」を構成している。そして、既に説明した「グループ＋＋＋１」と「グループ＋＋＋２」とによって「グループ＋＋＋＋１」を構成している。
このように、本実施の形態の場合には、上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の複数の制御対象機器を階層的にグループ化しているものである。
【００２１】
尚、上記グループ分けの背景には図２の表に示すような関係がある。まず、「グループ＋１」は、一階３の応接室Ａに対応している。又、「グループ＋２」は、一階３の会議室Ａに対応している。又、「グループ＋３」は、二階５の事務室Ａに対応している。又、「グループ＋４」は、二階の事務室Ｂに対応している。
【００２２】
又、本実施の形態の場合には、上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の各制御対象機器、各グループに対し
て、「電力制御パラメータ」が付与されている。この「電力制御パラメータ」は、上記各制御対象機器相互間、各グループ相互間の「優先度」を示す「優先度パラメータ」と、設定電力を示す「設定電力パラメータ」とから構成されている。より具体的には、例えば、「ピーク消費電力:１１０ｋｗ、優先度：１０」、「１ヶ月積算消費電力:２５００ｋｗｈ、優先度：９」、「１日消費電力:１００ｋｗｈ、優先度：７」といった表現（ベクトルのような表現）になる。
尚、各グループ、各制御対象機器に対して、複数の「電力制御パラメータ」を付与することも考えられる。例えば、あるグループに対して、「設定電力パラメータ」として、「ピーク消費電力」と「１ヶ月積算消費電力」の両方で規制を加えたいような場合である。
又、本実施の形態の場合には、同じレベルのグループ相互間、各制御対象機器相互間の優先度を問題にする例を説明しているが、異なるレベルのグループ相互間、各制御対象機器と各グループ相互間に優先度を設定するようなことも考えられる。
【００２３】
又、この実施の形態の場合には、上記「電力制御パラメータ」の「設定電力パラメータ」は目標消費電力を意味するものであり、よって、例えば、「グループ＋＋＋＋１」の「電力制御パラメータ」の「設定電力パラメータ」は、建屋１全体の目標消費電力を意味することになる。又、「グループ＋＋＋１」、「グループ＋＋＋２」においても、それぞれ「電力制御パラメータ」の「設定電力パラメータ」が設定されることになるが、その際、「グループ＋＋＋１」の「電力制御パラメータ」の「設定電力パラメータ」と「グループ＋＋＋２」の「電力制御パラメータ」の「設定電力パラメータ」を加算したものが、「グループ＋＋＋＋１」の「電力制御パラメータ」の「設定電力パラメータ」となり、少なくとも、グループ＋＋＋＋１」の「電力制御パラメータ」の「設定電力パラメータ」を超えることはない。
【００２４】
そして、上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の各制御対象機器の実際の「使用電力」を検出して、その「使用電力」と上記「設定電力パラメータ」とから、各制御対象機器の消費電力を適宜増減させるように制御するものである。具体的には、上記第１照明機器９、第２照明機器１１、第３照明機器１３、第４照明機器１５、第５照明機器１７、第６照明機器１９、第７照明機器２１、第８照明機器３１の照度、「オン／オフ」を制御する、上記、第１電気機器２３、第２電気機器２５、第３電気機器２７、第４電気機器２９の「オン／オフ」、「オンになっている時間」、「照度」等を制御する、ことにより消費電力を適宜増減させるものである。
【００２５】
次に、図３を参照して、電力制御装置３３の構成について説明する。電力制御装置３３は、記憶回路４１、使用電力量（Ｅｕ）取得回路４３、消費電力値（Ｅｃ）算出回路４５、制御電力量配分回路４７、電力量制御回路４９、ユーザーインターフェイス５１、制御機器インターフェイス５３等から構成されている。
【００２６】
上記ユーザーインターフェイス５１を介してユーザー４２によって入力された情報は、上記記憶回路４１に記憶される。既に説明した「電力制御パラメータ」等の情報も記憶回路４１に記憶される。
上記使用電力量（Ｅｕ）取得回路４３は、上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の各制御対象機器、各グループによる実際の「使用電力」を取得するための回路である。
又、上記消費電力値（Ｅｃ）算出回路４５は、上記使用電力量（Ｅｕ）取得回路４３によって取得された使用電力に基づいて、各グループ、上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の各制御対象機器の消費電力を算出するための回路である。
上記制御電力量配分回路４７は、例えば、上位グループで超過した消費電力を下位グループに分配するための回路である。
【００２７】
上記電力量制御回路４９は、最下位のグループに分配された超過分の消費電力を、最終的に、上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の各制御対象機器に分配するための回路である。
又、上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の各制御対象機器からの使用電力の情報は、上記制御機器インターフェイス５３を介して電力制御装置３３に入力されることになる。
又、上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の制御対象機器と制御機器インターフェイス５３との間の通信はＬＡＮ等が使用されることになる。
【００２８】
一方、上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の各制御対象機器側であるが、図４に示すような構成になっている。すなわち、消費電力／発電制御回路６１、電力制御インターフェイス６３、計測制御インターフェイス６５等から構成されている。又、上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の各制御対象機器には、発電電力／消費電力計測機器６７が設置されている。上記計測制御インターフェイス６５と発電電力／消費電力計測機器６７との間は、例えば、電力線通信が使用される。又、発電電力／消費電力計測機器６７と消費電力制御装置３３との間の通信はＬＡＮ等が使用されることになる。又、消費電力制御装置３３と電力制御インターフェイス６３との間は、様々な有線／無線による通信が適用される。
【００２９】
上記発電電力／消費電力計測機器６７によって上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の各制御対象機器の消費電力量や発電量（この実施の形態の場合には消費電力量のみ）を検出することになるが、それ以外にも、負荷の特性をシステムに記憶しておき制御量から消費電力を推定するようなことも考えられ、又、それらの組み合わせも想定される。
【００３０】
そして、上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の各制御対象機器からは、実際に使用している使用電力の情報が、上記計測制御インターフェイス６５、発電電力／消費電力計測機器６７を介して、電力制御装置３３に入力される。又、電力制御装置３３からは、上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の各制御対象機器に対して、消費電力を制御するための制御信号が、上記電力制御インターフェイス６３を介して入力されることになる。具体的には、例えば、消費電力を抑制するために、「照度を落とす指令」、「オン／オフを制御する指令」、「オン時間を減少させる指令」、等の制御信号が、上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の各制御対象機器に出力されることになる。
【００３１】
以上の構成を基に、図５乃至図１０のフローチャートを参照して、その作用を説明する。
図５は全体の制御を示すフローチャートであり、まず、全てのグループの「使用電力量（Ｅｕ）」を取得し、その後、階層的に構成されているグループの上層から順番に、次の（１）、（２）、（３）に示す処理を行う。そして、全てのグループに対して、（１）、（２）、（３）の処理が終了した後、グループに所属している上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の制御対象機器に対して、渡された制御電力量を基に制御、すなわち、既に説明したような「照度を落とす指令」、「オン／オフを制御する指令」、「オン時間を減少させる指令」、等の制御が実行されることになる。
（１）「消費電力値（Ｅｃ）」を算出する。
（２）確認中のグループの電力制御の「設定電力（Ｅｓ）」と算出した「消費電力値（Ｅｃ）」を比較する。
（３）「消費電力値（Ｅｃ）」が「設定電力（Ｅｓ）」より大きい場合に下位グループに制御電力量（超過分）を渡す。
以下、順次説明する。
【００３２】
図５に示すように、まず、ステップＳ１において、使用電力量（Ｅｕ）を取得する。
尚、この使用電力量（Ｅｕ）の取得に関しては、図６、図７を参照して、追って、詳細に説明する。
次に、ステップＳ２に移行して、親グループＰＧｒ（ｉ）（ｊ）の階層別の要素番号「ｉ」を「１」とする。
尚、この場合は、親グループＰＧｒ（ｉ）（ｊ）の「＋」の数が多い方から階層別に確認していく。したがって、本実施の形態の場合には、「＋＋＋＋」のレベルからの確認となり、最終的には、「＋」のレベルでの確認に至る。
【００３３】
次に、ステップＳ３に移行して、親グループＰＧｒ（ｉ）（ｊ）の要素番号「ｉ」が最後の要素を超えたか否かが判別される。親グループＰＧｒ（ｉ）（ｊ）の要素番号「ｉ」が最後の要素を超えたと判別された場合は、ステップＳ４に移行して、電力量の制御が行われ、ステップＳ１に戻る。
ここでいう「親グループＰＧｒ（ｉ）（ｊ）の要素番号「ｉ」が最後の要素を超えた」とは、本実施の形態の場合には、「＋＋＋＋」から「＋」までの確認が終了したことを意味する。
これに対して、グループＰＧｒ（ｉ）（ｊ）の要素番号「ｉ」が最後の要素を超えていないと判別された場合は、ステップＳ５に移行する。
尚、ステップＳ４の電力量の制御に関しては、追って、図１０を参照して詳しく説明する。
【００３４】
ステップＳ５においては、親グループＰＧｒ（ｉ）（ｊ）の要素番号「ｊ」を「１」とする。次に、ステップＳ６に移行する。
尚、この場合には、親グループＰＧｒ（ｉ）（ｊ）の同じ「＋」の数の階層内で順番に確認する。例えば、「＋＋＋＋」レベルでの確認の場合には、図１に示すように、「グループ＋＋＋＋１」だけであるので、「ｊ」は「１」のみである。又、「＋＋＋」レベルでの確認の場合には、図１に示すように、「グループ＋＋＋１」、「グループ＋＋＋２」の二つがあるので、「ｊ」は順次「１」、「２」となる。
このステップＳ６においては、親グループＰＧｒ（ｉ）（ｊ）の要素番号「ｊ」が最後の要素を超えたか否かが判別される。親グループＰＧｒ（ｉ）（ｊ）の要素番号「ｊ」が最後の要素を超えたと判別された場合には、ステップＳ７に移行する。このステップＳ７においては、親グループＰＧｒ（ｉ）（ｊ）の要素番号「ｉ」を「１」増やす。そして、既に説明したステップＳ３に戻ることになる。
以下、「グループ＋＋＋＋」から「グループ＋」までの確認が順次行われる。
【００３５】
これに対して、親グループＰＧｒ（ｉ）（ｊ）の要素番号「ｊ」が最後の要素を超えていないと判別された場合には、ステップＳ８に移行する。このステップＳ８においては、消費電力値（Ｅｃ）（ｉ）（ｊ）を算出する。
尚、この消費電力値（Ｅｃ）（ｉ）（ｊ）の算出に関しては、追って、図８を参照して詳細に説明する。
次に、ステップＳ９に移行する。このステップＳ９においては、設定電力（Ｅｓ）（ｉ）（ｊ）と消費電力値（Ｅｃ）（ｉ）（ｊ）とを対比する。設定電力（Ｅｓ）（ｉ）（ｊ）は「電力制御パラメータ」に設定されている値である。
尚、この対比においては、同じ系統の要素同志を対比することになる。
【００３６】
次に、ステップＳ１０に移行する。このステップＳ１０においては、消費電力値（Ｅｃ）（ｉ）（ｊ）が設定電力（Ｅｓ）（ｉ）（ｊ）より大きいか否かが判別される。消費電力値（Ｅｃ）（ｉ）（ｊ）が設定電力（Ｅｓ）（ｉ）（ｊ）より大きいと判別された場合は、ステップＳ１１に移行する。このステップＳ１１においては、親グループＰＧｒ（ｉ）（ｊ）の制御電力量を下位のグループに配分する。
尚、この制御電力量を配分に関しては、追って、図９を参照して詳細に説明する。
【００３７】
これに対して、消費電力値（Ｅｃ）（ｉ）（ｊ）が設定電力（Ｅｓ）（ｉ）（ｊ）より大きくはないと判別された場合は、ステップＳ１２に移行する。このステップＳ１２においては、親グループＰＧｒ（ｉ）（ｊ）の要素番号「ｊ」を「１」だけ増加させる。そして、既に説明したステップＳ６に戻る。
以下、同じ階層の次のグループの確認が行われる。
そして、同じ階層の全てのグループの確認が終了したら、既に説明したステップＳ６、ステップＳ７を経由して、次の階層のグループに移行することになる。
以下、「グループ＋＋＋＋」から「グループ＋」までの確認が順次行われる。
【００３８】
上記点に関して詳しく説明する。図５に示す処理においては、まず、「グループ＋＋＋＋」のレベル、すなわち、建屋１の全体の設定電力（Ｅｓ）（ｉ）（ｊ）と消費電力（Ｅｃ）（ｉ）（ｊ）とが対比される。この場合には、要素番号「ｊ」は「１」のみである。その結果、ステップＳ１０において、消費電力（Ｅｃ）（ｉ）（ｊ）が設定電力（Ｅｓ）（ｉ）（ｊ）より大きいと判別された場合には、既に説明したように、ステップＳ１１に移行して、親グループＰＧｒ（ｉ）（ｊ）の制御電力量を、下位のグループ、すなわち、「グループ＋＋＋＋」のレベルに配分する処理が行われる。
【００３９】
次に、「グループ＋＋＋＋」のレベルでの対比が終了した後、「グループ＋＋＋」のレベルでの対比が行われる。この場合には、要素番号「ｊ」が「１」、「２」となっていき、「グループ＋＋＋１」、「グループ＋＋＋２」での対比が行われる。すなわち、一階３と二階５の両方としての設定電力（Ｅｓ）（ｉ）（ｊ）と消費電力（Ｅｃ）（ｉ）（ｊ）とが対比される。同様に、昇降機室７としての設定電力（Ｅｓ）（ｉ）（ｊ）と消費電力（Ｅｃ）（ｉ）（ｊ）とが対比される。その結果、ステップＳ１０において、消費電力（Ｅｃ）（ｉ）（ｊ）が設定電力（Ｅｓ）（ｉ）（ｊ）より大きいと判別された場合には、既に説明したように、ステップＳ１１に移行して、親グループＰＧｒ（ｉ）（ｊ）の制御電力量を、下位のグループ、すなわち、「グループ＋＋」のレベルに配分する処理が行われる。
尚、この場合、先に行われた「グループ＋＋＋＋」のレベルでの対比の結果、ステップＳ１１の配分処理が行われている場合には、その分配後の状態で、「グループ＋＋＋」のレベルでの対比が行われることになる。これは以降の処理においても同様である。
【００４０】
次に、「グループ＋＋＋」のレベルでの対比が終了した後、「グループ＋＋」のレベルでの対比が行われる。この場合には、要素番号「ｊ」が「１」、「２」となっていき、「グループ＋＋１」、「グループ＋＋２」での対比が行われる。すなわち、一階３又は二階５としての設定電力（Ｅｓ）（ｉ）（ｊ）と消費電力（Ｅｃ）（ｉ）（ｊ）とがそれぞれ対比される。その結果、ステップＳ１０において、消費電力（Ｅｃ）（ｉ）（ｊ）が設定電力（Ｅｓ）（ｉ）（ｊ）より大きいと判別された場合には、既に説明したように、ステップＳ１１に移行して、親グループＰＧｒ（ｉ）（ｊ）の制御電力量を、下位のグループ、すなわち、「グループ＋」のレベルに配分する処理が行われる。
【００４１】
次に、「グループ＋＋」のレベルでの対比が終了した後、「グループ＋」のレベルでの対比が行われることになる。この場合には、要素番号「ｊ」が「１」、「２」、「３」、「４」となっていき、「グループ＋１」、「グループ＋２」、「グループ３」、「グループ４」での対比がそれぞれ行われることになる。すなわち、一階３の応接室Ａ、会議室Ａ、二階５の事務室Ａ、事務室Ｂとしての設定電力（Ｅｓ）（ｉ）（ｊ）と消費電力（Ｅｃ）（ｉ）（ｊ）とがそれぞれ対比される。その結果、ステップＳ１０において、消費電力（Ｅｃ）（ｉ）（ｊ）が設定電力（Ｅｓ）（ｉ）（ｊ）より大きいと判別された場合には、既に説明したように、ステップＳ１１に移行して、親グループＰＧｒ（ｉ）（ｊ）の制御電力量を、下位のグループ、すなわち、「+」なしの「グループ」のレベルに配分する処理が行われる。
【００４２】
そして、「グループ＋」のレベルでの対比が行われた後、既に説明したステップＳ３の判別において、親グループＰＧｒ（ｉ）（ｊ）の要素番号「ｉ」が最後の要素を超えたと判別されて、ステップＳ４に移行することになる。
【００４３】
次に、図６、図７を参照して、図５に示したステップＳ１の処理、すなわち、使用電力量（Ｅｕ）の取得処理について詳細に説明する。
まず、ステップＳ２１において、グループＧｒ（ｉ）の要素番号「ｉ」を「１」とする。
尚、ここでいうグループＧｒ（ｉ）の要素番号「ｉ」とは、図１における最下位のグループ番号である。すなわち、図１には、グループ１〜グループ９があり、よって、グループＧｒ（ｉ）の要素番号「ｉ」は「１」〜「９」に変化していくことになる。
次いで、ステップＳ２２に移行して、グループＧｒ（ｉ）の要素番号「ｉ」が最後の要素を超えたか否かが判別される。グループＧｒ（ｉ）の要素番号「ｉ」が最後の要素を超えたと判別された場合には、図７のステップＳ２９に移行する。これに対して、グループＧｒ（ｉ）の要素番号「ｉ」が最後の要素を超えていないと判別された場合には、ステップＳ２３に移行する。
【００４４】
このステップＳ２３においては、制御対象機器Ｃｏ（ｉ）（ｊ）の要素番号「ｊ」を「１」とする。
尚、ここでいう制御対象機器Ｃｏ（ｉ）（ｊ）の要素番号「ｉ」、「ｊ」であるが、要素番号「ｉ」は、既に説明したグループＧｒ（ｉ）の要素番号「ｉ」と同様に、図１における最下位のグループ番号、すなわち、グループ１〜グループ９である。又、要素番号「ｊ」は、各グループ内に複数の制御対象機器がある場合にその何れかを特定するためのものである。例えば、図１に示すように、グループ４の場合には、第４照明機器１５、第５照明機器１７があり、これらをそれぞれ「ｊ＝１」、「ｊ＝２」として特定することになる。グループ７の場合も同様である。
次いで、ステップＳ２４に移行する。ステップＳ２４においては、制御対象機器Ｃｏ（ｉ）（ｊ）の要素番号「ｊ」が最後の番号を超えたか否かが判別される。制御対象機器Ｃｏ（ｉ）（ｊ）の要素番号「ｊ」が最後の番号を超えたと判別された場合には、ステップＳ２８に移行する。このステップと２８においては、グループＧｒ（ｉ）の要素番号「ｉ」を「１」増やす処理が実行される。その後、既に説明したステップと２２に戻る。
【００４５】
これに対して、制御対象機器Ｃｏ（ｉ）（ｊ）の要素番号「ｊ」が最後の番号を超えていないと判別された場合には、ステップと２５に移行する。このステップＳ２５においては、制御対象機器Ｃｏ（ｉ）（ｊ）の発電／消費電力（ｉ）（ｊ）を取得する。次いで、ステップＳ２６に移行する。このステップと２６においては、グループＧｒ（ｉ）に発電／消費電力（ｉ）（ｊ）を加減算する。この場合には、グループが複数の制御対象機器から構成されている場合に、それぞれの使用電力を合計することになるので、専ら加算することになる。
尚、本実施の形態では、制御対象機器の中に各種発電機が含まれない例を挙げて説明しているが、各種発電機を含む例も考えられ、その場合には、消費電力ではなく発電電力が発生するので、上記ステップＳ２６の処理においては、減算することになる。
次いで、ステップＳ２７に移行する。このステップＳ２７においては、制御対象機器Ｃｏ（ｉ）（ｊ）の要素番号「ｊ」を「１」増やす処理が実行される。そして、既に説明したステップＳ２４に戻る。
尚、図６に示すステップＳ２１〜Ｓ２８までの処理によって、グループ１〜グループ９の使用電力量（Ｅｕ）を算出することができる。
【００４６】
次に、既に説明した図７のステップＳ２９以降の処理について説明する。上記したように、図６に示すステップＳ２１〜Ｓ２８までの処理によって、各グループ１〜グループ９の使用電力量（Ｅｕ）を算出することができた。後は、図７のステップＳ２９以降の処理によって、グループ１〜グループ９の上のレベルでの使用電力量（Ｅｕ）、すなわち、「グループ＋」のレベルでの使用電力量（Ｅｕ）、「グループ＋＋」のレベルでの使用電力量（Ｅｕ）、「グループ＋＋＋」のレベルでの使用電力量（Ｅｕ）、「グループ＋＋＋＋」のレベルでの使用電力量（Ｅｕ）、をそれぞれ算出することになる。
【００４７】
図７に示すように、まず、親グループＰＧｒ（ｉ）（ｊ）の階層別の要素番号「ｉ」を「１」とする。
尚、この場合には、親グループＰＧｒ（ｉ）（ｊ）の「＋」の数が少ない方から階層別に確認していくことになる。すなわち、「グループ＋」のレベル、「グループ＋＋」のレベル、「グループ＋＋＋」のレベル、「グループ＋＋＋＋」のレベルの順で確認することになる。親グループＰＧｒ（ｉ）（ｊ）の階層別の要素番号「ｉ」が「１」であるとは「グループ＋」のレベルを確認することを意味する。
次いで、ステップＳ３０に移行する。このステップＳ３０においては、親グループＰＧｒ（ｉ）（ｊ）の階層別の要素番号「ｉ」が最後の要素を超えたか否か、すなわち、「グループ＋＋＋＋」のレベルを超えたか否かが判別される。親グループＰＧｒ（ｉ）（ｊ）の階層別の要素番号「ｉ」が最後の要素を超えたと判別された場合には、そのまま終了する。
【００４８】
これに対して、親グループＰＧｒ（ｉ）（ｊ）の階層別の要素番号「ｉ」が最後の要素を超えていないと判別された場合には、ステップＳ３１に移行する。このステップＳ３１においては、親グループＰＧｒ（ｉ）（ｊ）の階層別の要素番号「ｊ」を「１」とする。次いで、ステップＳ３２に移行する。このステップＳ３２においては、親グループＰＧｒ（ｉ）（ｊ）の階層別の要素番号「ｊ」が最後の番号を超えたか否かが判別される。親グループＰＧｒ（ｉ）（ｊ）の階層別の要素番号「ｊ」が最後の番号を超えたと判別された場合には、ステップＳ３９に移行する。このステップＳ３９においては、親グループＰＧｒ（ｉ）（ｊ）の階層別の要素番号「ｉ」を「１」増やす処理が実行される。そして、既に説明したステップＳ３０に戻る。
【００４９】
これに対して、親グループＰＧｒ（ｉ）（ｊ）の階層別の要素番号「ｊ」が最後の番号を超えていないと判別された場合には、ステップＳ３３に移行する。ステップＳ３３においては、下位グループＬＧｒ（ｉ）（ｊ）（ｋ）の要素番号「ｋ」を「１」とする。次いで、ステップＳ３４に移行する。このステップＳ３４においては、下位グループＬＧｒ（ｉ）（ｊ）（ｋ）の要素番号「ｋ」が最後の番号を超えたか否かが判別される。下位グループＬＧｒ（ｉ）（ｊ）（ｋ）の要素番号「ｋ」が最後の番号を超えたと判別された場合には、ステップＳ３８に移行する。このステップＳ３８においては、親グループＰＧｒ（ｉ）（ｊ）の階層別の要素番号「ｊ」を「１」増やす処理が実行される。そして、既に説明したステップＳ３２に戻る。
【００５０】
これに対して、下位グループＬＧｒ（ｉ）（ｊ）（ｋ）の要素番号「ｋ」が最後の番号を超えていない判別された場合は、ステップＳ３５に移行する。このステップＳ３５においては、下位グループＬＧｒ（ｉ）（ｊ）（ｋ）の発電／消費電力（ｉ）（ｊ）（ｋ）が取得される。次いで、ステップＳ３６に移行する。このステップＳ３６においては、親グループＰＧｒ（ｉ）（ｊ）に発電／消費電力（ｉ）（ｊ）（ｋ）を加減算する。この場合は、親グループＰＧｒ（ｉ）（ｊ）が複数の下位グループから構成されている場合に、各下位グループの使用電力を合計することになるので、専ら、加算することになる。
尚、本実施の形態では、制御対象機器の中に各種発電機が含まれない例を挙げて説明しているが、各種発電機を含む例も考えられ、その場合には、消費電力ではなく発電電力が発生するので、上記ステップＳ３６の処理においては、減算することになる。
【００５１】
次いで、ステップＳ３７に移行する。このステップＳ３７においては、下位グループＬＧｒ（ｉ）（ｊ）（ｋ）の要素番号「ｋ」を「１」増やす処理が実行される。その後、既に説明したステップと３４に戻る。
【００５２】
図７に示すステップＳ２９〜Ｓ３９までの処理によって、「グループ＋」のレベルでの使用電力量（Ｅｕ）、「グループ＋＋」のレベルでの使用電力量（Ｅｕ）、「グループ＋＋＋」のレベルでの使用電力量（Ｅｕ）、「グループ＋＋＋＋」のレベルでの使用電力量（Ｅｕ）、をそれぞれ算出することができる。
以下、繰り返しになるが簡単に説明する。
【００５３】
まず、「グループ＋」のレベルでの使用電力量の算出が行われる。すなわち、「グループ＋１」の使用電力量（Ｅｕ）の算出、「グループ＋２」の使用電力量（Ｅｕ）の算出、「グループ＋３」の使用電力量（Ｅｕ）の算出、「グループ＋４」の使用電力量（Ｅｕ）の算出、が順次行われる。
【００５４】
次いで、「グループ＋＋」のレベルでの使用電力量（Ｅｕ）の算出が行われる。すなわち、「グループ＋＋１」の使用電力量（Ｅｕ）の算出、「グループ＋＋２」の使用電力量（Ｅｕ）の算出、が順次行われる。
【００５５】
次いで、「グループ＋＋＋」のレベルでの使用電力量（Ｅｕ）の算出が行われる。すなわち、「グループ＋＋＋１」の使用電力量（Ｅｕ）の算出、「グループ＋＋＋２」の使用電力量（Ｅｕ）の算出、が順次行われる。
【００５６】
そして、最後に、「グループ＋＋＋＋」のレベルでの使用電力量（Ｅｕ）の算出、すなわち、「グループ＋＋＋＋１」の使用電力量（Ｅｕ）の算出が行われる。
その後、ステップＳ３０において、親グループＰＧｒ（ｉ）（ｊ）の階層別の要素番号「ｉ」が最後の要素、すなわち、「＋＋＋＋」のレベルを超えたと判別されてそのまま終了することになる。
【００５７】
次に、図５におけるステップＳ８の処理、すなわち、消費電力値（Ｅｃ）（ｉ）（ｊ）の算出処理を図８を参照して詳しく説明する。
尚、ここでいう消費電力値（Ｅｃ）（ｉ）（ｊ）とは、電力制御パラメータに設定されている設定電力（Ｅｓ）（ｉ）（ｊ）と対比するための値であり、取得した使用電力量（Ｅｕ）に基づいて算出されるものである。
まず、ステップＳ４１において、消費電力値（Ｅｃ）（ｉ）（ｊ）の設定を読み込む。すなわち、消費電力値（Ｅｃ）（ｉ）（ｊ）としては、例えば、「現時点での瞬時電力値」、「３０分積算電力値」、「日内積算電力値」、「月内積算電力値」、「年内積算電力値」、「ある指定期間の積算電力値」等、様々な形態で表すことができる。この中から所定の設定を選択することになり、上記ステップＳ４１の処理はこれを意味している。又、この場合には、予め設定されている電力制御パラメータの「設定電力」がどのような形態で表されているかに対応することになる。
【００５８】
次いで、ステップＳ４２に移行して、設定に基づいて消費電力量を計算する。すなわち、既に取得している使用電力量（Ｅｕ）を使用して所定の計算を行うことにより、所定の表現の消費電力量を算出することになる。
次いで、ステップＳ４３に移行して、設定条件により消費電力値（Ｅｃ）（ｉ）（ｊ）を補正する。すなわち、消費電力値（Ｅｃ）（ｉ）（ｊ）は、例えば、設定されたプログラム的なものにより、例えば、時間や季節等によって変更可能であり、ここでいう補正はそのような変更を意味している。
以上の処理によって、電力制御パラメータの「設定電力」と対比可能な消費電力値（Ｅｃ）（ｉ）（ｊ）を得ることができる。
【００５９】
次に、図５におけるステップＳ１１の処理、すなわち、下位グループへの分配処理について図９を参照して詳しく説明する。ここで行う処理は概略次のようなものである。すなわち、設定電力を超えた分の、消費電力値（Ｅｃ）（ｉ）（ｊ）から制御する制御量を算出する。次に、自身のグループに所属する下位グループの電力制御ＬＣｅ（電力制御パラメータ）の中から、自身のグループの設定電力（Ｅｓ）と同じ系列の設定電力（Ｅｓ）に紐付けられた「優先度」を比較する。
この点に関して、若干説明すると、前述したように、一つのグループに対して複数の電力制御パラメータが設定されている可能性がある。例えば、「ピーク消費電力:１１０ｋｗ、優先度：１０」、「１ヶ月積算消費電力:２５００ｋｗｈ、優先度：９」といった具合である。よって、その中から、自身のグループの設定電力（Ｅｓ）と同じ系列の設定電力（Ｅｓ）が設定されている電力制御パラメータを選択する必要があり、上記記載はこのことを意味している。
そして、その「優先度」の値に応じて、算出しておいた制御量を下位グループに割り振るものである。以下、順次説明する。
【００６０】
まず、ステップＳ５１において、消費電力値（Ｅｃ）（ｉ）（ｊ）から設定電力（Ｅｓ）を差し引いて制御量を算出する。次いで、ステップＳ５２に移行して、自身（親グループＰＧｒ）の下位グループＬＧｒを取得する。次いで、ステップＳ５３に移行して、下位グループＬＧｒの電力制御（ＬＣｅ）（電力制御パラメータ）を取得する。次いで、ステップＳ５４に移行して、下位グループＬＧｒの「優先度」に応じて制御量を割り振る。
尚、既に説明したように、電力制御ＬＣｅ（電力制御パラメータ）は、自身の設定電力（Ｅｓ）と同じ系列の設定電力（Ｅｓ）が設定されている電力制御ＬＣｅ（電力制御パラメータ）を選択して確認する必要がある。又、「優先度」が高いほど割り振られる制御量は少なくなる。
次いで、ステップＳ５５に移行して、制御量と設定電力（Ｅｓ）を下位グループＬＧｒに消費電力値（Ｅｃ）（ｉ）（ｊ）の増分として渡す。そして、終了する。
【００６１】
上記処理によって、「グループ＋＋＋＋」のレベルでの超過分が「グループ＋＋＋」のレベルに分配され、「グループ＋＋＋」のレベルでの超過分が「グループ＋＋」のレベルに分配され、「グループ＋＋」のレベルでの超過分が「グループ＋」のレベルに分配され、「グループ＋」のレベルでの超過分が最下位の「グループ」のレベルに分配されることになる。
より具体的に説明すると、「グループ＋＋＋＋」のレベルでの超過分が「グループ＋＋＋」のレベルに分配され、その際、「グループ＋＋＋１」、「グループ＋＋＋２」相互間の「優先度」によって、その分配量を決定する。
以下、同様にして、下位のグループに超過分を分配していく。
【００６２】
次に、図５のステップＳ４の処理、すなわち、制御対象機器への分配処理について、図１０を参照して詳しく説明する。既に説明したように図５におけるステップＳ１１の処理によって、最下位のグループへの配分は完了している。後は、それを各グループに所属している上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の各制御対象機器に配分する処理を行うことになる。
まず、ステップＳ６１において、グループＧｒ（ｉ）の要素番号（ｉ）を「１」とする。次いで、ステップＳ６２に移行して、グループＧｒ（ｉ）の要素番号（ｉ）が最後の番号を超えたか否かが判別される。グループＧｒ（ｉ）の要素番号（ｉ）が最後の番号を超えたと判別された場合には、そのまま終了する。
【００６３】
これに対して、グループＧｒ（ｉ）の要素番号（ｉ）が最後の番号を超えていないと判別された場合には、ステップＳ６３に移行する。このステップＳ６３においては、グループＧｒ（ｉ）の制御対象機器Ｃｏを取得する。次いで、ステップＳ６４に移行して、制御対象機器Ｃｏの電力制御ＣＣｅ（電力制御パラメータ）を取得する。次いで、ステップと６５に移行して、電力制御ＣＣｅ（電力制御パラメータ）の優先度に応じて制御量を割り振る。次いで、ステップＳ６６に移行して、制御利用を基に制御対象機器Ｃｏを制御する。次いで、ステップＳ６７に移行して、グループＧｒ（ｉ）の要素番号（ｉ）を「１」増やす処理が実行される。
【００６４】
上記処理によって、「グループ」レベルまで分配された超過分が、上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の各制御対象機器のレベルに分配されることになる。
【００６５】
以上本実施の形態によると次のような効果を奏することができる。
まず、上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の複数の制御対象機器を階層的にグループ化し、そのような構成の下に、各無制御対象機器とグループに対して、「優先度」と「設定電力」からなる電力制御パラメータを付与し、実際に使用している使用電力と、上記電力制御パラメータに基づいて、上記第１照明機器９、第２照明機器１１、第３照明機器１３、第４照明機器１５、第５照明機器１７、第６照明機器１９、第７照明機器２１、第１電気機器２３、第２電気機器２５、第３電気機器２７、第４電気機器２９、第８照明機器３１等の複数の制御対象機器の消費電力を増減・制御するようにしているので、簡単な構成で所望の消費電力の管理を行うことができるようになった。
又、電力制御パラメータの「設定電力」は目標消費電力を意味しているものであり、よって、目標消費電力の範囲内でエネルギーの効率的な使用が可能となり、エネルギー消費量の低減を図ることができる。
又、予め設定された優先度と設定電力を考慮して制御しているので、上記したように、目標消費電力を超えるようなことはなく、電力管理者に一方的に不満をいだかせるようなこともない。
又、優先度を設定しているので、電力使用者の意向を組み入れることもできる。
【００６６】
尚、本発明は前記一実施の形態に限定されるものではない。
まず、前記一実施の形態の場合には、二階建ての建屋を例に挙げて、そこに設置されている複数の照明機器、電気機器を制御するものとして説明したが、それに限定されるものではない。
又、前記一実施の形態の場合には、制御対象機器として、照明機器、電気機器を例に挙げて説明らしたが、それに限定されるものではなく、その他様々な機器が想定される。
又、前記一実施の形態の場合には、制御対象機器として、専ら電力を消費する照明機器、電気機器等の消費機器を例に挙げて説明したが、それに限定されるものではない。例えば、各種発電機器（発電機、蓄電池、等）を制御対象機器の一つとして加えることも考えられる。
又、その場合において、消費機器と発電機器をそれぞれ別々のグループに所属させる場合と、混在させて所属させる場合がある。
又、各種発電機の場合は、電力の消費ではなく発電になるので、使用電力から発電により生じた電力を減算して、グループとしての使用電力を算出することになる。
又、その場合には、消費電力だけではなく、供給電力(発電機のオン／オフを含んだ発電の度合い、蓄電池から放出される電力の量、等)についても、制御の対象となる。
又、前記一実施の形態の場合には、同じレベルのグループ相互間、制御対象機器相互間で優位度を比較するようにしたが、それに限定されるものではなくき、異なるレベルのグループ相互間、グループと制御対象機器相互間で優先度を比較するようなことも考えられる。
その際、上位グループは下位グループ又は制御対象機器の優先度が自身のグループの優先度より低い場合か等しい場合に、消費電力及び又は供給電力(発電機のオン／オフを含んだ発電の度合い、蓄電池から放出される電力の量、等) を管理するように構成することが考えられる。
又、その際、上位グループを作成する際に、その上位グループに対して、優先度の低い下位グループを１つ以上設けることとする。そして、例えば、下位グループ又は制御対象機器の優先度が自身のグループの優先度より高い場合には、優先度の高い下位グループを除いて、その他の下位グループに分配することが考えられる。
又、前記一実施の形態の場合には、制御対象機器又はグループが複数のグループに所属するような構成は想定していないが、所属するような構成も想定される。その場合には、所属する複数のグループに跨って分配先の対象となる。
その他、図示した構成はあくまで一例である。
【産業上の利用可能性】
【００６７】
本発明は、例えば、照明機器、電気機器等の消費機器、各種発電機器（発電機、蓄電池、等）、等の制御対象機器から構成される設備の消費電力及び又は供給電力(発電機のオン／オフを含んだ発電の度合い、蓄電池から放出される電力の量、等)を制御する電力制御装置に係り、特に、複数の制御対象機器を階層的にグループ化するとともに、設定電力と優先度の情報を付与し、その情報と実際の使用電力や発電電力の情報に基づいて、各制御対象機器の消費電力及び又は供給電力(発電機のオン／オフを含んだ発電の度合い、蓄電池から放出される電力の量、等)を制御することができるように工夫したものに関し、例えば、任意の建屋内の複数階に設置されている複数の照明機器の制御に好適である。
【符号の説明】
【００６８】
１  建屋
３  一階
５  二階
７  昇降機室
９  第１照明機器（制御対象機器）
１１  第２照明機器（制御対象機器）
１３  第３照明機器（制御対象機器）
１５  第４照明機器（制御対象機器）
１７  第５照明機器（制御対象機器）
１９  第６照明機器（制御対象機器）
２１  第７照明機器（制御対象機器）
２３  第１電気機器（制御対象機器）
２５  第２電気機器（制御対象機器）
２７  第３電気機器（制御対象機器）
２９  第４電気機器（制御対象機器）
３１  第８照明機器（制御対象機器）
３３  電力制御装置
【図１】
2014239632.tif 000003
【図２】
2014239632.tif 000004
【図３】
2014239632.tif 000005
【図４】
2014239632.tif 000006
【図５】
2014239632.tif 000007
【図６】
2014239632.tif 000008
【図７】
2014239632.tif 000009
【図８】
2014239632.tif 000010
【図９】
2014239632.tif 000011
【図１０】
2014239632.tif 000012